(57)【要約】      （修正有）【課題】脚周り開口が自動的に口を開く製造容易な使い捨てのパンツ型着用物品の提供。【解決手段】シート状部材１３を横方向へ延びる折曲線に沿って縦方向Ｙの上方へ二つに折り重ね、シート状部材１３の側縁部１６ａ，１７ａ，１６ｂ，１７ｂどうしを接合することによって使い捨てのパンツ型着用物品１が形成される。着用物品１の脚周り開口３６ａ，３６ｂは、側縁部１６ａ，１７ａ，１６ｂ，１７ｂにおいて折曲線から上方へ所要寸法だけ離れた部位に始まるシート状部材１３に対しての前方切り込み部４６ａ，４６ｂと後方切り込み部４７ａ，４７ｂとによって形成される。前方切り込み部４６ａ，４６ｂおよび後方切り込み部４７ａ，４７ｂの上方には上方弾性部材２６，２７が伸長状態で取り付けられ、前方切り込み部４６ａ，４６ｂおよび後方切り込み部４７ａ，４７ｂの下方には下方弾性部材２８，２９が伸長状態で取り付けられる。【選択図】図１
2008048844.tif 000002
【特許請求の範囲】
【請求項１】
互いに直交する横方向と縦方向と厚さ方向とを有し、前記横方向には一対の端縁部が並行して延びており前記縦方向には一対の側縁部が並行して延びているシート状部材が一対の前記端縁部を一致させるように前記横方向へ延びる折曲線に沿って前記縦方向の上方へ折り重ねられ、重なり合う前記側縁部どうしが接合して前後胴周り域と、股下域と、胴周り開口と、一対の脚周り開口とが形成されており、前記胴周り開口の縁部と前記脚周り開口の縁部とが弾性的に伸長・収縮可能である使い捨てのパンツ型着用物品であって、
前記胴周り開口は、一対の前記端縁部によって画成されており、
前記脚周り開口は、前記折曲線から前記上方へ所要寸法だけ離れた前記側縁部における部位に始まって前記前胴周り域の前記横方向内側へ延びる前記シート状部材に形成された前方切り込み部と、前記部位に始まって前記後胴周り域の前記横方向内側へ延びる前記シート状部材に形成された後方切り込み部とによって画成されており、
前記シート状部材には、前記前方切り込み部および前記後方切り込み部の前記上方に、前記横方向へ延びる複数条の上方弾性部材が伸長状態で取り付けられる一方、前記前方切り込み部および後方切り込み部の下方に、前記横方向へ延びる複数条の下方弾性部材が伸長状態で取り付けられていて、前記前方切り込み部および前記後方切り込み部の前記上方における近傍と前記下方における近傍とでは、前記上方および下方弾性部材が収縮した状態において、前記上方弾性部材が取り付けられている部分の前記シート状部材における前記横方向の寸法が前記下方弾性部材が取り付けられている部分の前記シート状部材における前記横方向の寸法よりも大きいことを特徴とする前記着用物品。
【請求項２】
前記股下域の前記横方向中央部分には、前記前後胴周り域に向かって延びる体液吸収部が形成されていて、前記横方向において前記体液吸収部が前記体液吸収部の外側に位置する前記シート状部材よりも高い剛性を有している請求項１記載の着用物品。
【請求項３】
前記股下域の前記横方向において前記体液吸収部の外側に位置する前記シート状部材は、前記下方弾性部材が収縮することにより、前記股下域を中心に前記前後胴周り域方向へＵ字状に湾曲している前記体液吸収部の前記前後胴周り域方向へ延びる側縁に沿って起立した状態となって、前記体液吸収部の両側に防漏堤を形成している請求項１または２記載の着用物品。
【請求項４】
前記前方切り込み部と前記後方切り込み部とは、前記横方向へ水平に延びるように前記シート状部材に形成されたスリットである請求項１〜３のいずれかに記載の着用物品。
【請求項５】
前記着用物品の前記縦方向において、前記前方切り込み部の寸法が前記後方切り込み部の寸法よりも大きく形成されている請求項１〜３のいずれかに記載の着用物品。
【発明の詳細な説明】
【技術分野】
【０００１】
この発明は、胴周り開口の縁部と脚周り開口の縁部とが弾性的に伸長・収縮する使い捨てのパンツ型着用物品に関する。
【背景技術】
【０００２】
従来、胴周り開口の縁部と脚周り開口の縁部とが弾性的に伸長・収縮する使い捨てのパンツ型着用物品は周知である。たとえば、特許第３４０１６２７号公報（特許文献１）には、この種の着用物品が吸収体製品という名の下に開示されている。この吸収体製品では、前身頃部分と後身頃部分との側縁部間に、これら側縁部を連結するサイドパネルが設けられている。サイドパネルは、伸縮性シート材料で形成されていて、縦方向の中間部分に形成された開口により、上部ゾーンと下部ゾーンとに区分されており、その開口は脚周り開口として使用される。サイドパネルは、着用物品の内側に向かって二つに畳まれており、サイドパネルの開口に脚を挿入するときには、上部ゾーンをそれが着用者の腰部に接するように着用物品の外側へ広げ、下部ゾーンをそれがももの内側へ接するように畳まれたままにしておく。
【特許文献１】特許第３４０１６２７号公報
【発明の開示】
【発明が解決しようとする課題】
【０００３】
前記従来の着用物品では、脚周り開口を形成するために、前身頃部分および後身頃部分とは別体のサイドパネルをこれら両部分に取り付けなければならない。また、サイドパネルは、二つに畳まれているから、この着用物品を使用するときには、上部ゾーンを着用物品の外側へ広げる一方、下部ゾーンを着用物品の内側へ向けて畳まれたままにしておかなければならない。このように、この着用物品には、それを製造するときと着用するときとに手間がかかるという問題がある。
【０００４】
そこで、この発明は、前記問題を解消し得るような使い捨てのパンツ型着用物品の提供を課題にしている。
【課題を解決するための手段】
【０００５】
前記課題を解決するために、この発明が対象とするのは、互いに直交する横方向と縦方向と厚さ方向とを有し、前記横方向には一対の端縁部が並行して延びており前記縦方向には一対の側縁部が並行して延びているシート状部材が一対の前記端縁部を一致させるように前記横方向へ延びる折曲線に沿って前記縦方向の上方へ折り重ねられ、重なり合う前記側縁部どうしが接合して前後胴周り域と、股下域と、胴周り開口と、一対の脚周り開口とが形成されており、前記胴周り開口の縁部と前記脚周り開口の縁部とが弾性的に伸長・収縮可能である使い捨てのパンツ型着用物品である。
【０００６】
かかる着用物品において、この発明が特徴とするところは、次のとおりである。前記胴周り開口は、一対の前記端縁部によって画成されている。前記脚周り開口は、前記折曲線から前記上方へ所要寸法だけ離れた前記側縁部における部位に始まって前記前胴周り域の前記横方向内側へ延びる前記シート状部材に形成された前方切り込み部と、前記部位に始まって前記後胴周り域の前記横方向内側へ延びる前記シート状部材に形成された後方切り込み部とによって画成されている。前記シート状部材には、前記前方切り込み部および前記後方切り込み部の前記上方に、前記横方向へ延びる複数条の上方弾性部材が伸長状態で取り付けられる一方、前記前方切り込み部および後方切り込み部の下方に、前記横方向へ延びる複数条の下方弾性部材が伸長状態で取り付けられている。前記前方切り込み部および前記後方切り込み部の前記上方における近傍と前記下方における近傍とでは、前記上方および下方弾性部材が収縮した状態において、前記上方弾性部材が取り付けられている部分の前記シート状部材における一対の前記側縁部間の寸法が前記下方弾性部材が取り付けられている部分の前記シート状部材における一対の前記横方向の寸法よりも大きい。
【０００７】
この発明の好ましい実施態様の一つにおいて、前記股下域の前記横方向中央部分には、前記前後胴周り域に向かって延びる体液吸収部が形成されていて、前記横方向において前記体液吸収部が前記体液吸収部の外側に位置する前記シート状部材よりも高い剛性を有している。
【０００８】
この発明の好ましい実施態様の他の一つにおいて、前記股下域の前記横方向において前記体液吸収部の外側に位置する前記シート状部材は、前記下方弾性部材が収縮することにより、前記股下域を中心に前記前後胴周り域方向へＵ字状に湾曲している前記体液吸収部の前記前後胴周り域方向へ延びる側縁に沿って起立した状態となって、前記体液吸収部の両側に防漏堤を形成する。
【０００９】
この発明の好ましい実施態様の他の一つにおいて、前記前方切り込み部と前記後方切り込み部とは、前記横方向へ水平に延びるように前記シート状部材に形成されたスリットである。
【００１０】
この発明の好ましい実施態様の他の一つにおいて、前記着用物品の前記縦方向において、前記前方切り込み部の寸法が前記後方切り込み部の寸法よりも大きく形成されている。
【発明の効果】
【００１１】
この発明に係る使い捨てのパンツ型着用物品では、縦方向へ折り重ねられたシート状部材が側縁部どうしで接合している。その側縁部からは、前胴周り域の横方向内側へ前方切り込み部が延びる一方、後胴周り域の横方向内側へ後方切り込み部が延びることによって、脚周り開口が形成されている。前方切り込み部および後方切り込み部の上方には、着用物品の横方向へ延びる上方弾性部材が伸長状態で取り付けられており、前方切り込み部および後方切り込み部の下方には、横方向へ延びる下方弾性部材が伸長状態で取り付けられている。脚周り開口の近傍のうちで上方における近傍と下方における近傍とでは、上方および下方弾性部材が収縮した状態において、上方弾性部材を含む部分のシート状部材における横方向の寸法が下方弾性部材を含む部分のシート状部材における横方向の寸法よりも大きいから、この着用物品を着用するときに前胴周り域と後胴周り域とを環状に広げると、シート状部材は脚周り開口の上方で大きな環を形成し、脚周り開口の下方で小さな環を形成する。これらの環の大きさの違いによって、切り込み部よりも上方の部分と下方の部分との間に形成される脚周り開口は自動的に、大きく広がって脚の挿入が容易になる。かような脚周り開口は、着用物品に対して側縁部から横方向の内側へ延びる切り込み部を形成することによって得ることができるので、この着用物品の製造は容易である。
【００１２】
股下域の横方向中央部分に剛性の高い体液吸収部が形成されている態様のこの発明では、着用物品の横方向中央部分において下方弾性部材が収縮することを抑えて、その中央部分にしわが生じることを防ぐことができる。
【００１３】
下方弾性部材が収縮することによりシート状部材が体液吸収部の両側縁に沿って起立した防漏堤を形成する態様のこの発明では、脚周り開口が大きく広がって脚の挿入が容易になると同時に、着用物品の股下域における横漏れを防止することが容易になる。
【００１４】
この発明におけるその他の態様によって得られる効果は、以下の実施形態において明らかにされる。
【発明を実施するための最良の形態】
【００１５】
添付の図面を参照してこの発明に係る使い捨てのパンツ型着用物品の詳細を説明すると、以下のとおりである。
【００１６】
図１，２は、使い捨てのパンツ型着用物品の一例であるパンツ型おむつ１の部分破断斜視図とおむつ１の部分破断側面図とであって、これらの図にはおむつ１の横方向と縦方向と前後方向とがＸ，Ｙ，Ｚで示されていて、これら各方向Ｘ，Ｙ，Ｚが互いに直交している。横方向Ｘはおむつ１の幅方向でもあるから、以下では横方向Ｘを幅方向Ｘと呼ぶこともある。また、縦方向Ｙはおむつ１の上下方向でもあるから、以下では縦方向Ｙを上下方向Ｙと呼ぶこともある。おむつ１は、前胴周り域６と、後胴周り域７と、これら両域６，７それぞれの幅方向Ｘにおける中央部分６ｃ，７ｃにつながる股下域８とを有する。これら前胴周り域６と後胴周り域７と股下域８とは、互いに重なり合って間欠的に接合している内面シート１１と外面シート１２とからなるシート状部材１３によって形成されていて、前胴周り域６と後胴周り域７とは、中央部分６ｃ，７ｃから幅方向Ｘの両側へ延びる側方部分６ａ，６ｂと７ａ，７ｂとを有する（図３参照）。側方部分６ａ，６ｂ，７ａ，７ｂのそれぞれは上下方向Ｙへ延びる側縁部１６ａ，１６ｂ，１７ａ，１７ｂを有し、側縁部１６ａと１７ａおよび側縁部１６ｂと１７ｂとが合掌状に重なり合い、上下方向Ｙにおいて間欠的に並ぶ複数の溶着部位１８ａ，１８ｂにおいて接合している。股下域８は、前胴周り域６の中央部分６ｃにつながる前部中央８ｆと、後胴周り域７の中央部分７ｃにつながる後部中央８ｒと、これら前部中央８ｆと後部中央８ｒとの側方に形成された防漏堤１９ａ，１９ｂとを有する。防漏堤１９ａ，１９ｂは、前方部分２１ａ，２１ｂと後方部分２２ａ，２２ｂとによって形成されており、前方部分２１ａと後方部分２２ａとが側縁部１６ａ，１７ａの下方において接合している。また、前方部分２１ｂと後方部分２２ｂとは、側縁部１６ｂ，１７ｂの下方において接合している。そして、前方部分２１ａ，２１ｂのそれぞれと後方部分２２ａ，２２ｂのそれぞれとの接合は、これらの部分２１ａ，２１ｂ，２２ａ，２２ｂの縁部４１ａ，４１ｂ，４２ａ，４２ｂ（図３参照）に上下方向Ｙへ間欠的に並ぶように形成された溶着部位２３ａ，２３ｂ（図３参照）で行われている。前後胴周り域６，７における内面シート１１と外面シート１２との間には、幅方向Ｘへ互いに平行して延びる複数条の胴周り域弾性部材２６，２７があって、これら弾性部材２６，２７が内面シート１１と外面シート１２との少なくとも一方にホットメルト接着剤（図示せず）を介して伸長状態で接合している。股下域８の前方部分８ｆと後方部分８ｒとにおける内面シート１１と外面シート１２との間には、弾性部材２６，２７に平行して延びる複数条の股下域弾性部材２８，２９があって、これら弾性部材２８，２９が内面シート１１と外面シート１２との少なくとも一方にホットメルト接着剤（図示せず）を介して伸長状態で接合している。
【００１７】
かように形成されている図１のおむつ１は、胴周り域弾性部材２６，２７と股下域弾性部材２８，２９とが収縮した状態にある。その前後胴周り域６，７は環状を成すように広げられていて、前胴周り域６の中央部分６ｃと側方部分６ａ，６ｂとにおける端縁部３１と、後胴周り域７の中央部分７ｃと側方部分７ａ，７ｂとにおける端縁部３２とが、胴周り開口３３を画成している。前後胴周り域６，７の側方部分６ａ，６ｂ，７ａ，７ｂは、端縁部３１に平行する下縁部３３ａ，３３ｂと端縁部３２に平行する下縁部３４ａ，３４ｂとを有していて、防漏堤１９ａ，１９ｂが、図２においてほぼ水平に前後方向Ｚへ延びる上縁部３５ａ，３５ｂを有しており、これら下縁部３３ａ，３４ａと上縁部３５ａとの間、および下縁部３３ｂ，３４ｂと上縁部３５ｂとの間には脚周り開口３６ａ，３６ｂが形成されている。防漏堤１９ａ，１９ｂは、おむつ１の底部から上方に向かって起立した状態にあると同時に、前後方向Ｚへ直線的に延びた状態にある。おむつ１の内側では、体液吸収部を形成するパッド部材４０が内面シート１１に対して接合されている。パッド部材４０は、股下域８において防漏堤１９ａと１９ｂとの間にあって、前後胴周り域６，７に向かって延びている。胴周り域弾性部材２６，２７と股下域弾性部材２８，２９との収縮によって、側方部分６ａ，６ｂ，７ａ，７ｂと防漏堤１９ａ，１９ｂとには多くのひだが生じている。また、パッド部材４０が接合していて剛性の高い中央部分６ｃ，７ｃと前部中央８ｆと後部中央８ｒとにも少なめではあるがひだが生じている。
【００１８】
図３は、図１のおむつ１において溶着部位１８ａ，１８ｂ，２３ａ，２３ｂで互いに接合しているシート部材１３どうしを剥がし、そのシート部材１３を幅方向Ｘと前後方向Ｚとに伸展してあるおむつ１’の部分破断図であって、図中の胴周り域弾性部材２６，２７と股下域弾性部材２８，２９とは、幅方向Ｘへ伸長された状態にある。図３にはまた、おむつ１’の幅を二等分する縦中心線Ｐ−Ｐと、おむつ１’の縦方向Ｙの長さを二等分する横中心線Ｑ−Ｑも示されている。このように伸展したシート状部材１３は、横方向Ｘと縦方向Ｙとを有する他に、これら両方向Ｘ，Ｙに直交する厚さ方向を有しているが、その厚さ方向の符号は省略されている。シート状部材１３では、図１における端縁部３１，３２が横方向Ｘへ対を成して互いに平行に延びている。また、図１における側縁部１６ａと１７ａとが縦方向Ｙにおいて同一線上にあってシート部材１３の一方の側縁部１５ａを形成しており、側縁部１６ｂと１７ｂとが縦方向Ｙにおいて同一線上にあってシート状部材１３のもう一方の側縁部１５ｂを形成している。側縁部１６ａと１７ａとの間では、シート状部材１３が横向きＶ字形に切り欠かれており、側縁部１６ｂと１７ｂとの間でも、シート状部材１３が横向きＶ字形に切り欠かれている。シート状部材１３においてＶ字形を画いている縁部は、図１の防漏堤１９ａ，１９ｂにおける縁部４１ａ，４１ｂ，４２ａ，４２ｂとなる部位である。図３におけるこれら両Ｖ字形の縁部は、縦中心線Ｐ−Ｐに関して対称に形成されている。
【００１９】
図３のシート状部材１３における前胴周り域６には、横中心線Ｑ−Ｑから下方へ所要寸法ｆだけ進んだ側縁部１６ａ，１６ｂ上の部位において体液吸収用パネル４０の両側近傍にまで水平に延びる前方切り込み部４６ａ，４６ｂが形成されている。また、後胴周り域７には、横中心線Ｑ−Ｑから上方へ所要寸法ｆだけ進んだ側縁部１７ａ，１７ｂ上の部位においてパネル４０の両側近傍にまで水平に延びる後方切り込み部４７ａ，４７ｂが形成されている。これら前方切り込み部４６ａ，４６ｂと後方切り込み部４７ａ，４７ｂとは、シート状部材１３に形成されたスリットであって、横中心線Ｑ−Ｑに関して対称となるように形成されている。
【００２０】
胴周り域弾性部材２６，２７と股下域弾性部材２８，２９とは、横中心線Ｑ−Ｑに平行して水平に延びている。胴周り域弾性部材２６，２７は、前後胴周り域６，７の側縁部１６ａと１６ｂとの間、および側縁部１７ａと１７ｂとの間に延びている。また、股下域弾性部材２８，２９は、側縁部４１ａと４１ｂとの間、および側縁部４２ａと４２ｂとの間に延びている。
【００２１】
シート状部材１３における内面シート１１の縦中心線Ｐ−Ｐ上には、パッド部材４０が取り付けられている。パッド部材４０は、透液性のトップシート５１と、不透液性のバックシート５２と、これら両シート５１，５２間に介在する液吸収性の芯材５３とを有している。トップシート５１とバックシート５２とは、芯材５３の周縁から延出する部分において、接着または溶着により接合している。バックシート５２は、内面シート１１に対して接着または溶着により接合している。内面シート１１と外面シート１２とには、透液性または不透液性の不織布や織布、プラスチックフィルムなどが使用される。芯材５３は、粉砕パルプや粉砕パルプと高吸水性ポリマー粒子との混合物等を透液性のティシュペーパや不織布で被覆することによって形成されている。バックシート５２は、接着または溶着により、内面シート１１に接合している。
【００２２】
かように形成されている図３のおむつ１’は、内面シート１１を内側にしてシート状部材１３を折曲線となる横中心線Ｑ−Ｑに沿って縦方向Ｙの上方へ折り畳み、そのときに重なり合う前後胴周り域６，７の側縁部１６ａと１７ａ、１６ｂと１７ｂを溶着部位１８ａ，１８ｂにおいて接合し、股下域８における側縁部４１ａと４２ａ、４１ｂと４２ｂを溶着部位２３ａ，２３ｂにおいて接合する。シート状部材１３には、切り込み部４６ａ，４６ｂ，４７ａ，４７ｂが形成されていることによって、前後胴周り域６，７における下縁部３３ａ，３３ｂ，３４ａ，３４ｂと防漏堤１９ａ，１９ｂにおける上縁部３５ａ，３５ｂとが形成される。加えて、図３のおむつ１’では、胴周り域弾性部材２６，２７と股下域弾性部材２８，２９とが収縮したときに、切り込み部４６ａと４６ｂ、４７ａと４７ｂの近傍において、前後胴周り域６，７の溶着部位１８ａと１８ｂとの間の幅が股下域８の溶着部位２３ａと２３ｂとの間の幅よりも大きくなるように、胴周り域弾性部材２６，２７と股下域弾性部材２８，２９とが使い分けられている。例えば、胴周り域弾性部材２６，２７と股下域弾性部材２８，２９とが同じ糸ゴムで形成される場合には、股下域弾性部材２８，２９が胴周り域弾性部材２６，２７よりも高い伸長率でシート部材１３に取り付けられる。
【００２３】
これら弾性部材２６，２７，２８，２９の収縮の影響を図１のおむつ１でみると、胴周り方向において、前後胴周り域６，７における下縁部３３ａと３４ａとの長さの和が、股下域８における上縁部３５ａの長さよりも長くなり、前後胴周り域６，７における下縁部３３ｂと３４ｂとの長さの和が股下域８における上縁部３５ｂの長さよりも長くなる。胴周り域弾性部材２８，２９の収縮状態を維持しながら、前後胴周り域６，７を環状に広げてパッド部材４０をＵ字形に変形させると、股下域８のうちで防漏堤１９ａ，１９ｂを形成している部分のシート状部材１３がパッド部材４０の側縁に沿って起立するとともに前後方向Ｚへ直線状に延びて、脚周り開口３６ａ，３６ｂが大きく広がる。なお、パッド部材４０は、弾性部材２６，２７，２８，２９の収縮力によって幅方向Ｘへ極端に収縮したり折曲されたりすることがない程度の高い剛性を有しているので、弾性部材２６，２７の収縮は、主として前後胴周り域６,７の側方部分６ａ，６ｂ，７ａ，７ｂにおけるシート状部材１３の収縮となって現れ、弾性部材２８，２９の収縮は、主として股下域８のうちの防漏堤１９ａ，１９ｂを形成しているシート状部材１３の収縮となって現れている。したがって、見掛け上は、切り込み部４６ａ，４６ｂ，４７ａ，４７ｂの近傍におけるおむつ１の幅がこれら切り込み部４６ａ，４６ｂ，４７ａ，４７ｂの直上では大きく、直下では小さくなっている。
【００２４】
図４は、図１のおむつ１を製造する工程の部分図であって、一部分が破断して示されている。また、図には、機械方向とこれに直交する交差方向とがＭＤとＣＤとで示されている。
【００２５】
図４の工程Ｉでは、外面シート１２となるべき外面シート連続体１１２が機械方向ＭＤへ供給される。外面シート連続体１１２には、機械方向ＭＤにおいて連続している複数条の第１〜第４弾性部材１２６〜１２９が伸長状態で取り付けられている。第１，２弾性部材１２６，１２７は胴周り域弾性部材２６，２７となるべきものであり、第３，４弾性部材１２８，１２９は股下域弾性部材２８，２９となるべきものであって、第３，４弾性部材１２８，１２９には、後記するシート状連続体１１３を第１，２弾性部材１２６，１２７よりも大きく収縮させることができるものが使用される。
【００２６】
工程ＩＩでは、内面シート１１となるべき内面シート連続体１１１が機械方向ＭＤへ供給され、外面シート連続体１１２に接着または溶着により接合されて、第１〜第４弾性部材１２６〜１２９がこれら連続体１１１，１１２によってサンドウィッチされているシート状連続体１１３が得られる。
【００２７】
工程ＩＩＩでは、シート状連続体１１３における内面シート連続体１１１に対してパッド部材１４０が機械方向ＭＤにおいて一定の間隔で取り付けられる。隣り合うパッド部材１４０とパッド部材１４０との中点（図示せず）を通る鎖線Ｃ−Ｃは、後の工程におけるシート状連続体１１３に対しての切断予定線である。
【００２８】
工程ＩＶでは、シート状連続体１１３が、これを交差方向ＣＤにおいて二等分する中心線Ａ−Ａに沿って、内面シート連続体１１１を内側にして折り重ねられる。
【００２９】
工程Ｖでは、切断予定線Ｃ−Ｃの両側に、切断予定線Ｃ−Ｃに関して対称であり、切断予定線Ｃ−Ｃに平行する溶着部位集合部１１８ａ，１１８ｂと、切断予定線Ｃ−Ｃと交差する方向へ延びる溶着部位集合部１２３ａ，１２３ｂとが形成されて、重ねられたシート状連続体１１３どうしが接合される。
【００３０】
工程ＶＩでは、溶着部位集合部１１８ａ，１１８ｂと交差して機械方向ＭＤへ延びる複合切り込み部１４６，１４７がシート状連続体１１３に形成される。複合切り込み部１４６，１４７は、折り重ねられたシート状連続体１１３に対してそれを厚さ方向において貫通するように形成されたスリットであって、機械方向ＭＤにおける長さと、中心線Ａ−Ａからの交差方向ＣＤにおける距離ｄとが同じであって、隣り合うパッド部材１４０と１４０との間に延びている。
【００３１】
工程ＶＩＩでは、シート状連続体１１３のうちで、溶着部位集合部１２３ａと１２３ｂとの下方にある部分１１３ｓが切り取られる。
【００３２】
工程ＶＩＩＩでは、切断予定線Ｃ−Ｃに沿ってシート状連続体１１３が切断されて、個別のおむつ１が得られる。
【００３３】
製造工程Ｉ〜ＶＩＩＩにおいて使用された材料と個別のおむつ１における材料とは、次のように対応している。即ち、内面シート連続体１１１と外面シート連続体１１２とは、内面シート１１と外面シート１２とになる。弾性部材１２６，１２７，１２８，１２９のそれぞれは、胴周り域弾性部材２６，２７と股下域弾性部材２８，２９とになる。パッド部材１４０はパッド部材４０になる。各工程において形成された溶着部位集合部１１８ａ，１１８ｂ，１２３ａ，１２３ｂは、溶着部位１８ａ，１８ｂ，２３ａ，２３ｂになる。複合切り込み部１４６は、切り込み部４６ａと４６ｂとになり、複合切り込み部１４７は、切り込み部４７ａと４７ｂとになって、これら切り込み部４６ａ，４６ｂ，４７ａ，４７ｂによっておむつ１の脚周り開口１９ａ，１９ｂが形成される。
【００３４】
図４に示されている個別のおむつ１は、図１のおむつ１と同じものではあるが、胴周り域弾性部材２６，２７と股下域弾性部材２８，２９とが機械方向ＭＤへ伸長された状態にある。このおむつ１が自由状態に置かれると、これら弾性部材２６，２７，２８，２９は収縮する。その収縮では、胴周り域弾性部材２６，２７を含む部分のシート状部材１３の幅が股下域弾性部材２８，２９を含む部分のシート状部材１３の幅よりも大きくなっている。図１に示されるおむつ１の典型的な例においては、前後胴周り域６，７における側方部分６ａ，６ｂ，７ａ，７ｂよりも股下域８の防漏堤１９ａ，１９ｂにおける上縁部３５ａ，３５ｂの方が図４の機械方向ＭＤ、即ちおむつ１の幅方向Ｘへ大きく収縮している。弾性部材２６，２７，２８，２９が収縮状態にあるおむつ１はさらに、胴周り開口３３が環状に広がった図１，２の状態になると、既述のとおり、前後胴周り域６，７の下縁部３３ａと３４ａとの長さの和よりも、防漏堤１９ａの上縁部３５ａの長さの方が見掛け上短くなっており、また、前後胴周り域６，７の下縁部３３ｂと３４ｂとの長さの和よりも、防漏堤１９ｂの上縁部３５ｂの長さの方が見掛け上短くなっているので、脚周り開口１９ａ，１９ｂは自動的に大きく広がって、脚の挿入が容易になる。この脚周り開口１９ａ，１９ｂは、それに挿入された脚に対して、脚周り開口１９ａ，１９ｂの近傍に取り付けられている胴周り域弾性部材２６，２７がももの外側に弾性的に密着可能であり、股下域弾性部材２８，２９がももの内側に弾性的に密着可能である。
【００３５】
図４の工程から明らかなように、脚周り開口１９ａ，１９ｂは、機械方向ＭＤへ平行に延びる弾性部材１２６と１２８との間および１２７と１２９との間に機械方向ＭＤへ延びる複合切り込み部１４６，１４７を形成することによって簡単に得ることができる。したがって、おむつ１は、シート状連続体１１３を高速で機械方向ＭＤへ走行させて生産しようとする場合でも、弾性的な脚周り開口を形成することが容易で、脚周り開口を形成する工程がおむつ１の高速生産において律速段階になるということがない。
【００３６】
図５は、この発明の実施態様の一例を示す図２と同様な図である。図５のおむつ１は、図２におけるおむつ１の脚周り開口３６ａ，３６ｂとは形状の異なる脚周り開口を有している。図５に示された脚周り開口３６ａでは、前胴周り域６の下縁部３３ａと防漏堤１９ａの上縁部３５ａとの間の縦方向Ｙにおける前方離間寸法Ｈｆが後胴周り域７の下縁部３４ａと防漏堤１９ａの上縁部３５ａとの縦方向Ｙにおける後方離間寸法Ｈｒよりも大きく形成されている。乳幼児用のおむつ１であれば、例えば前方離間寸法Ｈｆを５〜７０ｍｍ、後方離間寸法Ｈｒを０〜２０ｍｍにするとともに、寸法Ｈｆと寸法Ｈｒとの差を少なくとも５ｍｍにすることが好ましい。なお、寸法Ｈｒが０ｍｍであるとは、図２の場合と同様に、後胴周り域７にスリットを入れることによって後胴周り域７の下縁部３４ａと防漏堤１９ａの上縁部３５ａとが形成されていることを意味している。脚周り開口３６ａの縁部は、下縁部３３ａに設けられた水平な前胴周り域弾性部材２６，下縁部３４ａに設けられた水平な後胴周り域弾性部材２７および上縁部３５ａに設けられた水平な股下域弾性部材２８，２９の存在によって弾性的に伸長・収縮する。図５のおむつ１は、図１〜３のおむつ１と同様に縦中心線Ｐに関して対称なものであって、図示されていないもう一方の脚周り開口は、図示された脚周り開口１９ａと対称に形成される。かような図５のおむつ１では、前胴周り域６の側方部分６ａ，６ｂ（図３参照）による身体の被覆面積を図示の如く小さくする一方、後胴周り域７の側方部分７ａ，７ｂによる身体の被覆面積を図示の如く大きくしておくことによって、図３のおむつ１の着用感を改良することができる。
【００３７】
図６は、図５のおむつ１の製造工程を示す図４と同様な図である。
【００３８】
図６の工程Ｉでは、外面シート連続体１１２が機械方向ＭＤへ供給される。外面シート連続体１１２には、機械方向ＭＤにおいて連続している複数条の第１〜第４弾性部材１２６〜１２９が伸長状態で取り付けられている。これら第１〜第４弾性部材１２６〜１２９のうちで、第２〜第４弾性部材１２７〜１２９は、図４におけるものと同じであるが、第１弾性部材１２６は、後記する切り込み部１４６と重なることがないように、使用本数および／または外面シート連続体１１２に対する配置が図４における第１弾性部材１２６とは違っている。
【００３９】
第ＩＩ，ＩＩＩ工程は、図４のそれと同様で、第ＩＩ工程で得られるシート状連続体１１３にパッド部材１４０が取り付けられる。
【００４０】
工程ＩＶでは、切断予定線Ｃ−Ｃと交差して機械方向ＭＤへ延びる第１，２複合切り込み部１４６，１４７がシート状連続体１１３に形成される。第１複合切り込み部１４６は、機械方向ＭＤにおいてパッド部材１４０と１４０との間に延びていて、中心線Ａ−Ａから交差方向ＣＤへ寸法ｄだけ離間するとともに、交差方向ＣＤにおいて寸法Ｈｆ（図５参照）だけ切り取られている。第２複合切り込み部１４７は、機械方向ＭＤにおいてパッド部材１４０と１４０との間に延びていて、中心線Ａ−Ａから交差方向ＣＤへ寸法ｄだけ離間しており、交差方向ＣＤにおいて寸法Ｈｒ（図５参照）だけ切り取られている。ただし、図示の第２複合切り込み部１４７は、寸法Ｈｒが実質的な意味において０ｍｍのスリットとして画かれている。
【００４１】
工程Ｖでは、シート状連続体１１３が中心線Ａ−Ａに沿って、内面シート連続体１１１が内側となるように折り重ねられる。
【００４２】
工程ＶＩでは、溶着部位集合部１１８ａ，１１８ｂと溶着部位集合部１２３ａ，１２３ｂが形成されて、折り重ねられたシート状連続体１１３どうしが接合される。これらの溶着部位集合部１１８ａ，１１８ｂ，１２３ａ，１２３ｂは、シート状連続体１１３どうしが接合するように形成されるものではあるが、図示の如く第１複合切り込み部１４６の内側にのぞくシート状連続体１１３に対して形成されていてもよい。
【００４３】
工程ＶＩＩでは、溶着部位集合部１２３ａと１２３ｂとの下方にある部分１１３ｓが切り取られる。
【００４４】
工程ＶＩＩＩでは、切断予定線Ｃ−Ｃ線に沿ってシート状連続体１１３が切断されて、図５に例示の個別のおむつ１が得られる。
【００４５】
図６の工程によれば、工程Ｖにおけるシート状連続体１１３の折り重ねに先立って、シート状連続体１１３に第１，２複合切り込み部１４６，１４７が形成されるので、前胴周り域６と後胴周り域７とにおける脚周り開口１９ａ，１９ｂの形状に図５の如く違いをつけることができる。
【００４６】
図７もまた、この発明の実施態様の一例を示す図２と同様な図である。図７のおむつ１では、前胴周り域弾性部材２６のうちで脚周り開口１９ａの直上に設けられている前胴周り域弾性部材２６ｘと、股下域前方部分８ｆの弾性部材２８のうちで脚周り開口１９ａの直下に設けられている弾性部材２８ｙとが、脚周り開口１９ａの前方部位５６において交差している。また、後胴周り域弾性部材２７のうちで脚周り開口１９ａの直上に設けられている後胴周り域弾性部材２７ｘと、股下域後方部分８ｒの弾性部材２９のうちで脚周り開口１９ａの直下に設けられている弾性部材２９ｙとが、脚周り開口１９ａの後方部位５７において交差している。さらにはまた、弾性部材２６ｘと２７ｘとが、図示してはいないが、互いに接合している側縁部１６ａ，１７ａにおいて実質上ひとつながりとなるように重なり合っているかまたは接近した状態にあり、弾性部材２８ｙと２９ｙもまた、互いに接合している縁部４１ａ，４２ａにおいて、実質上ひとつながりとなるように重なり合っているかまたは接近した状態にある。それゆえ、図７のおむつ１では、これら弾性部材２６ｘ，２７ｘ，２８ｙ，２９ｙが環状の弾性域を形成して、その弾性域が脚周り開口１９ａに挿入された脚の周縁部全体に密着するので、おむつ１は漏れ防止効果の高いものになる。おむつ１は、縦中心線Ｐ−Ｐ（図３参照）に関して対称に作られるものであるから、図示していないもう一方の脚周り開口についても同様な効果が得られる。このおむつ１において、弾性部材２６ｘ，２７ｘ，２８ｙ，２９ｙは、脚周り開口１９ａの周縁部にあればよいもので、前後胴周り域６，７や股下域８を横断していなくてもよいものである。
【００４７】
図８は、おむつ１の製造工程の一例を示す図４と同様な工程の部分図である。図８の工程ＶＩでは、複合切り込み部１４６，１４７の上方に図４と同様に切断予定線Ｃ−Ｃを挟んで互いに接近した溶着部位集合部１１８ａ，１１８ｂが形成される一方、複合切り込み部１４６，１４７の下方には、図４の溶着部位集合部１２３ａ，１２３ｂとは異なり、機械方向ＭＤに互いに大きく離間している溶着部位集合部１２３ａ，１２３ｂが形成されている。また、工程ＶＩＩでは、図４の部分１１３ｓよりも機械方向ＭＤにおける幅の大きい部分１１３ｓが切り取られている。図４の工程に示されているおむつ１では、複合切り込み部１４６によって形成される前後胴周り域６，７の下縁部３３ａと３４ａとの長さの和および下縁部３３ｂと３４ｂとの長さの和のそれぞれは、防漏堤１９ａ，１９ｂの上縁部３５ａ，３５ｂそれぞれの長さと同じであって、弾性部材２６，２７，２８，２９の作用によって上縁部３５ａ，３５ｂの長さの方が見掛け上短くなっていたのであるが、図８のおむつ１では、上縁部３５ａ，３５ｂの長さが、下縁部３３ａと３４ａとの長さの和および３３ｂと３４ｂとの長さの和よりも実際に短くなっている。このような上縁部３５ａ，３５ｂは、弾性部材２６，２７の作用によって図示の状態よりもさらに短くなる。
【００４８】
この発明は、図示例において内面シート１１における肌当て面に取り付けたパッド部材４０を、内面シート１１と外面シート１２との間に介在させて実施することもできる。その場合には、内面シート１１に透液性シートを使用する。また、外面シート１２には、不透液性シートを使用することが好ましい。さらに、この発明は、パッド４０を使用することのないパンツ型着用物品として実施することもできる。そのような着用物品は、使い捨てパンツ、使い捨てのトレーニングパンツ、失禁患者用パンツ等として有用である。さらには、内面シート１１と外面シート１２とで形成されているシート状部材１３を、これら両シート１１，１２のいずれかのみで形成されたものに代えることができる。図示例の胴周り域弾性部材２６，２７や股下域弾性部材２８，２９は、縦中心線Ｐ−Ｐの近傍において切断したり、部分的に切除したりしておくならば、パッド４０部材４０やパッド部材４０を覆っている内外面シート１１，１２に図１の如きひだを作ることがない。この発明では、複数条の胴周り域弾性部材２６や２７を伸長状態の異なるもので構成することができる。同様に、複数条の股下域弾性部材２８や２９を伸長状態の異なるもので構成することができる。
【産業上の利用可能性】
【００４９】
この発明によれば、脚周り開口を自動的に大きく広げることが可能な使い捨てパンツ型着用物品を簡単に製造することができる。
【図面の簡単な説明】
【００５０】
【図１】パンツ型おむつの部分破断斜視図。
【図２】パンツ型おむつの部分破断側面図。
【図３】パンツ型おむつの分解伸展図。
【図４】パンツ型おむつの製造工程図。
【図５】発明の実施態様の一例を示す図２と同様な図。
【図６】図５のおむつの製造工程図。
【図７】発明の実施態様の一例を示す図２と同様な図。
【図８】おむつの製造工程の一例を示す図４と同様な図。
【符号の説明】
【００５１】
１    パンツ型おむつ
６    前胴周り域
７    後胴周り域
８    股下域
１３    シート状部材
１５ａ，１５ｂ    側縁部
１９ａ，１９ｂ    防漏堤
２６，２６ｘ    上方弾性部材
２７，２７ｘ    上方弾性部材
２８，２８ｘ    下方弾性部材
２９，２９ｘ    下方弾性部材
３１    端縁部
３２    端縁部
３３    胴周り開口
３６ａ，３６ｂ    脚周り開口
４０    体液吸収部
４６ａ，４６ｂ    前方切り込み部
４７ａ，４７ｂ    後方切り込み部
ｆ    折曲線からの所要寸法
Ｈｆ    前方切り込み部の寸法
Ｈｒ    後方切り込み部の寸法
Ｑ−Ｑ    折曲線
Ｘ    横方向
Ｙ    縦方向
【図１】
2008048844.tif 000003
【図２】
2008048844.tif 000004
【図３】
2008048844.tif 000005
【図４】
2008048844.tif 000006
【図５】
2008048844.tif 000007
【図６】
2008048844.tif 000008
【図７】
2008048844.tif 000009
【図８】
2008048844.tif 000010